(57)【要約】【課題】複数のバス配線基板を用いる場合において必要とされる接続端子数を低減する。【解決手段】平面表示装置は表示パネルＤＰと、表示パネルＤＰの外縁に沿って伸びるバス配線ＢＳを形成した配線基板部ＢＰと、表示パネルＤＰおよび配線基板部ＢＰ間に配置される複数のフレキシブル配線板２１にそれぞれ一体化した複数の駆動ＩＣ２０を含み表示パネルＤＰを駆動する駆動回路ＹＤ，ＸＤと、バス配線ＢＳに接続されるようにして配線基板部ＢＰから独立なコントローラ基板ＣＰ上に配置され、バス配線ＢＳを介して駆動回路ＹＤ，ＸＤを制御するコントローラ５とを備える。配線基板部ＢＰは第１および第２バス配線基板ＢＰＡ，ＢＰＢを含み、第１バス配線基板ＢＰＡのバス配線ＢＳおよび第２バス配線基板ＢＰＢのバス配線ＢＳは表示パネルＤＰ上に形成されるバイパス配線ＰＳに複数のフレキシブル配線板２１を選択的に介して接続される。【選択図】図２
2006126295.tif 000002
【特許請求の範囲】
【請求項１】
表示パネルと、前記表示パネルの外縁に沿って伸びるバス配線を形成した配線基板部と、各々前記表示パネルおよび前記配線基板部間に配置される複数のフレキシブル配線板とそれぞれ一体化した複数の駆動ＩＣを含み前記表示パネルを駆動する駆動回路と、前記バス配線に接続されるようにして前記配線基板部から独立なコントローラ基板上に配置され、前記バス配線を介して前記駆動回路を制御するコントローラとを備え、前記配線基板部は第１および第２バス配線基板を含み、前記第１バス配線基板のバス配線および第２バス配線基板のバス配線は前記表示パネル上に形成されるバイパス配線に前記複数のフレキシブル配線板を選択的に介して接続されることを特徴とする平面表示装置。
【請求項２】
前記表示パネルは略マトリクス状に配置される複数の画素、前記複数の画素の行に沿って配置される複数の走査線、前記複数の画素の列に沿って配置される複数の信号線、および前記複数の走査線および前記複数の信号線の交差位置近傍に配置され各々対応走査線を介して選択されたときに対応信号線を対応画素に接続する複数のスイッチング素子を含み、前記駆動回路は前記複数の走査線を駆動する走査線駆動回路および前記複数の信号線を駆動する信号線駆動回路を含み、前記信号線駆動回路が前記複数の駆動ＩＣにより構成されることを特徴とする請求項１に記載の平面表示装置。
【請求項３】
前記バイパス配線は前記走査線駆動回路用の制御バスを含むことを特徴とする請求項２に記載の平面表示装置。
【請求項４】
前記バイパス配線は電源バスを含むことを特徴とする請求項２に記載の平面表示装置。
【請求項５】
前記駆動ＩＣは前記フレキシブル配線板と一体化してテープキャリアパッケージを構成することを特徴とする請求項１に記載の平面表示装置。
【請求項６】
前記第１および第２バス配線基板と前記コントローラ基板とは、コネクタおよびフレキシブル配線材によって接続されることを特徴とする請求項１に記載の平面表示装置。
【請求項７】
前記フレキシブル配線材はフレキシブル配線板およびフレキシブルフラットケーブルのいずれかであることを特徴とする請求項６に記載の平面表示装置。  
【請求項８】
前記バイパス配線は前記第１および第２バス配線基板の境界に隣接して形成されることを特徴とする請求項１に記載の平面表示装置。
【請求項９】
前記画素は液晶画素であることを特徴とする請求項２に記載の平面表示装置。
【発明の詳細な説明】
【技術分野】
【０００１】
本発明は、複数の駆動ＩＣパッケージが表示パネルの外縁に沿って設けられる平面表示装置に関する。
【背景技術】
【０００２】
例えば液晶表示装置のような平面表示装置は、コンピュータ、カーナビゲーションシステム、あるいはテレビ受信機等のモニタディスプレイとして広く利用されている。
【０００３】
液晶表示装置は、一般に複数の液晶画素のマトリクスアレイを含む液晶表示パネル、およびこの液晶表示パネルを制御する表示制御回路を有する。液晶表示パネルはアレイ基板および対向基板間に液晶層を挟持した構造である。
【０００４】
アレイ基板は略マトリクス状に配置される複数の画素電極、複数の画素電極の行に沿って配置される複数の走査線、複数の画素電極の列に沿って配置される複数の信号線、複数の走査線および複数の信号線の交差位置近傍に配置される複数のスイッチング素子を有する。各スイッチング素子は例えば薄膜トランジスタ（ＴＦＴ）からなり、対応走査線が駆動されたときに導通して対応信号線の電位を対応画素電極に印加する。対向基板には、アレイ基板に配置された複数の画素電極に対向するように共通電極が設けられる。一対の画素電極および共通電極はこれら電極間に位置する液晶層の一部である画素領域と共に画素を構成し、画素領域において液晶分子配列を画素電極および共通電極間の電界によって制御する。表示制御回路は複数の走査線を駆動する走査線駆動回路、複数の信号線を駆動する信号線駆動回路、並びにこれら走査線駆動回路および信号線駆動回路を制御するコントローラ等を含む。一般に、走査線駆動回路および信号線駆動回路は、表示パネルの外縁に沿って配置される複数の走査線駆動ＩＣおよび信号線駆動ＩＣにより構成される。各駆動ＩＣはフレキシブル配線板と一体化されたテープキャリアパッケージ（ＴＣＰ）である。
【０００５】
液晶表示装置が主に動画を表示するテレビ受信機用である場合、液晶分子が良好な応答性を示すＯＣＢモードの液晶表示パネルを用いることが検討されている（特許文献１を参照）。この液晶表示パネルでは、液晶が画素電極および共通電極上で互いに平行にラビングされた配向膜によって電源投入前においてほとんど寝ているスプレー配向になる。液晶表示パネルは、電源投入に伴う初期化処理で印加する比較的強い電界によりこれら液晶をスプレー配向からベンド配向に転移させてから表示動作を行う。
【０００６】
また、テレビ受信機用の液晶表示装置の場合、上述の応答性だけでなく、高精細で高アスペクト比であることが表示パネルに求められている。このため、信号線数が著しく増大する傾向にある。信号線駆動ＩＣ数はこの信号線数の増大に伴って増大することから、
複数のテープキャリアパッケージを表示パネルの外縁に沿って伸びるようにバス配線を形成したバス配線基板および表示パネル間に配置し、バス配線基板から独立なコントローラ基板上に配置されるコントローラからバス配線を介して信号線駆動ＩＣを共通に制御することが考えられる。この場合、コントローラ基板をバス配線基板よりも小型化して製造コストを低減することが可能となる。大型ディスプレイの場合には、２枚のバス配線基板を用い、コントローラがこれらバス配線基板上のバス配線を介して複数の信号線駆動ＩＣを半数ずつ制御すればよい。現存の製造設備で極めて長いバス配線基板を製造することが困難であっても、上述のように２枚のバス配線基板を用いて１枚あたりの長さを短くすれば、専用の製造設備の新規導入によって生じる製造コストの上昇を防ぐことができる。また、バス配線基板の長さは製造プロセスで歪みを生じさせる原因にもなるため短いことが好ましい。
【特許文献１】特開２００２−２０２４９１号公報
【発明の開示】
【発明が解決しようとする課題】
【０００７】
しかしながら、上述のように２枚のバス配線基板を用いる場合、コントローラ基板および２枚のバス配線基板間の接続端子数が単一のバス配線基板を用いる場合よりも多くなってしまう。このような状況で、例えばデジタル映像信号のビット数を多くして良好な階調表示を確保しようとすれば、これにより増大するバス配線数に対応してより高価なコネクタやケーブルが必要となる。従って、製造コストを低く抑えることが難しい。
【０００８】
本発明の目的は、複数のバス配線基板を用いる場合において必要とされる接続端子数を低減できる平面表示装置を提供することにある。
【課題を解決するための手段】
【０００９】
本発明によれば、表示パネルと、表示パネルの外縁に沿って伸びるバス配線を形成した配線基板部と、表示パネルおよび配線基板部間に配置される複数のフレキシブル配線板にそれぞれ一体化した複数の駆動ＩＣを含み表示パネルを駆動する駆動回路と、バス配線に接続されるようにして配線基板部から独立なコントローラ基板上に配置され、バス配線を介して駆動回路を制御するコントローラとを備え、配線基板部は第１および第２バス配線基板を含み、第１バス配線基板のバス配線および第２バス配線基板のバス配線は表示パネル上に形成されるバイパス配線に複数のフレキシブル配線板を選択的に介して接続される平面表示装置が提供される。
【発明の効果】
【００１０】
この平面表示装置では、第１バス配線基板のバス配線および第２バス配線基板のバス配線が表示パネル上に形成されるバイパス配線に複数のフレキシブル配線板を選択的に介して接続される。この場合、バイパス配線が第１配線基板部のバス配線と第２配線基板部のバス配線とを導通させるため、第１バス配線基板と第２バス配線基板との間、並びに第１および第２バス配線基板とコントローラ基板との間において接続端子数を低減することができる。
【発明を実施するための最良の形態】
【００１１】
以下、本発明の一実施形態に係るアクティブマトリクス方式の液晶表示装置について添付図面を参照して説明する。図１はこの液晶表示装置の回路構成を概略的に示す。液晶表示装置は液晶表示パネルＤＰ、および表示パネルＤＰに接続される表示パネル制御回路ＣＮＴを備える。液晶表示パネルＤＰは一対の電極基板であるアレイ基板１および対向基板２間に液晶層３を挟持した構造である。表示パネル制御回路ＣＮＴはアレイ基板１および対向基板２から液晶層３に印加される液晶駆動電圧により液晶表示パネルＤＰの透過率を制御する。
【００１２】
アレイ基板１は、例えばガラス等の透明絶縁基板上に略マトリクス状に配置される複数の画素電極ＰＥ、複数の画素電極ＰＥの行に沿って配置される複数の走査線Ｙ（Ｙ１〜Ｙｍ）、複数の画素電極ＰＥの列に沿って配置される複数の信号線Ｘ（Ｘ１〜Ｘｎ）、並びにこれら走査線Ｙおよび信号線Ｘの交差位置近傍に配置され各々対応走査線Ｙを介して駆動されたときに対応信号線Ｘおよび対応画素電極ＰＥ間で導通して複数の画素スイッチング素子Ｗを有する。各画素スイッチング素子Ｗは例えば薄膜トランジスタからなり、薄膜トランジスタのゲートが走査線Ｙに接続され、ソース−ドレインパスが信号線Ｘおよび画素電極ＰＥ間に接続される。
【００１３】
対向基板２は例えばガラス等の透明絶縁基板上に配置されるカラーフィルタ、および複数の画素電極ＰＥに対向してカラーフィルタ上に配置される共通電極ＣＥ等を含む。各画素電極ＰＥおよび共通電極ＣＥは例えばＩＴＯ(Indium Tin Oxide)等の透明電極材料からなり、配向膜でそれぞれ覆われ、画素電極ＰＥおよび共通電極ＣＥからの電界に対応した液晶分子配列に制御される液晶層３の一部である画素領域と共に画素ＰＸを構成する。
【００１４】
また、複数の画素ＰＸは各々画素電極ＰＥおよび共通電極ＣＥ間に液晶容量ＣＬＣを有し、さらに補助容量Ｃｓが液晶容量ＣＬＣに並列に接続される。
【００１５】
表示パネル制御回路ＣＮＴは、複数のスイッチング素子Ｗを行単位に導通させるように複数の走査線Ｙ１〜Ｙｍを順次駆動する一対の走査線駆動回路ＹＤ、各行のスイッチング素子Ｗが対応走査線Ｙの駆動によって導通する期間において画素電圧Ｖsを複数の信号線Ｘ１〜Ｘｎにそれぞれ出力する信号線駆動回路ＸＤ、外部から入力される映像信号に対して一対の走査線駆動回路ＹＤおよび信号線駆動回路ＸＤの動作タイミング等を制御するコントローラ５を含む。画素電圧Ｖsは共通電極ＣＥのコモン電圧Ｖcomを基準として画素電極ＰＥに印加される電圧であり、コモン電圧Ｖcomに対して周期的に極性反転される。
【００１６】
一対の走査線駆動回路ＹＤは互いに同一の構造であり、複数の走査線Ｙに沿った方向においてアレイ基板１の両側に配置される。信号線駆動回路ＸＤは複数の信号線Ｘに沿った方向においてアレイ基板１の一方側に配置される。コントローラ５は、順次複数の走査線Ｙを駆動するための制御信号ＣＴＹおよび、映像信号から１行分の画素ＰＸ単位に得られる直列な画素データＤＡＴＡ、出力極性を指定してこれら画素データＤＡＴＡを複数の信号線Ｘにそれぞれ割り当てるための制御信号ＣＴＸ、画像データＤＡＴＡを画素電圧Ｖsに変換するために用いられる所定数の階調基準電圧ＶＲＥＦ等を発生する。制御信号ＣＴＹおよび補償電圧はコントローラ５から一対の走査線駆動回路ＹＤに供給され、制御信号ＣＴＸ、画素データＤＡＴＡ、階調基準電圧ＶＲＥＦはコントローラ５から信号線駆動回路ＸＤに供給される。
【００１７】
走査線駆動回路ＹＤは制御信号ＣＴＹの制御により１フレーム期間において複数の走査線Ｙ１〜Ｙｍを順次選択し、各行の画素スイッチング素子Ｗを１水平走査期間だけ導通させるオン電圧を選択走査線Ｙに供給する。信号線駆動回路ＸＤは１水平走査期間毎に１行分の画素ＰＸに対して供給される画素データＤＡＴＡを所定数の階調基準電圧ＶＲＥＦを参照してそれぞれ画素電圧Ｖsに変換し、複数の信号線Ｘ１〜Ｘｎに並列的に出力する。
【００１８】
走査線駆動回路ＹＤが例えば走査線Ｙ１をオン電圧により駆動してこの走査線Ｙ１に接続された全ての画素スイッチング素子Ｗを導通させると、信号線Ｘ１〜Ｘｎ上の画素電圧Ｖsがこれら画素スイッチング素子Ｗをそれぞれ介して１行分の画素電極ＰＥに供給される。
【００１９】
図２は図１に示す液晶表示装置の外部配線構造を示す。図２に示すように、この液晶表示装置は、表示パネルＤＰの外縁に沿って伸びるバス配線ＢＳを形成した配線基板部ＢＰとして、第１〜第４バス配線基板ＢＰＡ，ＢＰＢ，ＢＰＣ，ＢＰＤを有する。第１および第２バス配線基板ＢＰＡ，ＢＰＢは信号線駆動回路ＸＤに対して設けられ、第３および第４バス配線基板ＰＢＣ，ＢＰＤは一対の走査線駆動回路ＹＤに対して設けられる。これら走査線駆動回路ＹＤはいずれも各々所定数ずつ複数の走査線Ｙに接続される複数のテープキャリアパッケージＴＣＰ１により構成される。各テープキャリアパッケージＴＣＰ１は走査線駆動ＩＣ１０をフレキシブル配線板１１にマウントして一体化したものである。信号線駆動回路ＸＤは各々所定数ずつ複数の信号線Ｘに接続される複数のテープキャリアパッケージＴＣＰ２により構成される。各テープキャリアパッケージＴＣＰ２は信号線駆動ＩＣ２０をフレキシブル配線板２１にマウントして一体化したものである。
【００２０】
一対の走査線駆動回路ＹＤの各々では、全テープキャリアパッケージＴＣＰ１のフレキシブル配線板１１が表示パネルＤＰおよび第３バス配線基板ＢＰＣ間、または表示パネルＤＰおよび第４バス配線基板ＢＰＤ間に配置される。信号線駆動回路ＸＤでは、半数のテープキャリアパッケージＴＣＰ２のフレキシブル配線板２１が表示パネルＤＰおよび第１バス配線基板ＢＰＡ間に配置され、残り半数のテープキャリアパッケージＴＣＰ２のフレキシブル配線板２１が表示パネルＤＰおよび第２バス配線基板ＢＰＢ間に配置される。
【００２１】
コントローラ５はバス配線ＢＳに接続されるようにして配線基板部ＢＰから独立なコントローラ基板ＣＰ上に配置され、バス配線ＢＳを介して走査線駆動回路ＹＤおよび信号線駆動回路ＸＤを制御する。第１および第２バス配線基板ＢＰＡ，ＢＰＢとコントローラ基板ＣＰとは、コネクタＣＮおよびフレキシブル配線材ＦＢによって接続される。フレキシブル配線材ＦＢとしては、フレキシブル配線板およびフレキシブルフラットケーブル等が用いられる。第１および第２バス配線基板ＢＰＡ，ＢＰ２のバス配線ＢＳは制御信号ＣＴＹ等を供給する走査線駆動回路ＹＤ用制御バス、制御信号ＣＴＸ、画素データＤＡＴＡ、および階調基準電圧ＶＲＥＦ等を供給する信号線駆動回路ＸＤ用制御バス、および走査線駆動回路ＹＤ、信号線駆動回路ＸＤ等の動作電圧を供給する電源バスを含む。第３および第４バス配線基板ＢＰＣ，ＢＰＤのバス配線ＢＳは制御信号ＣＴＹ等を供給する走査線駆動回路ＹＤ用制御バスを含む。第１バス配線基板ＢＰＡのバス配線ＢＳおよび第２バス配線基板ＢＰＢのバス配線ＢＳは表示パネルＤＰ上に形成されるバイパス配線ＰＳに複数のフレキシブル配線板２１を選択的に介して接続される。
【００２２】
ここでは、コントローラ５が、第１バス配線基板ＢＰＡ側で走査線駆動回路ＹＤ用制御バスおよび信号線駆動回路ＸＤ用制御バスに接続され、第２バス配線基板ＢＰＢ側で電源バスおよび信号線駆動回路ＸＤ用制御バスに接続される。第１バス配線基板ＢＰＡ上の信号線駆動回路ＸＤ用制御バスと第２バス配線基板ＢＰＢ上の信号線駆動回路ＸＤ用制御バスとは、配線長を短くするために独立している。バイパス配線ＰＳは第１および第２バス配線基板ＢＰＡ，ＢＰＢの境界に隣接して配置され、走査線駆動回路ＹＤ用制御バスおよび電源バスを含む。この境界から遠い端部側では、第１バス配線基板ＢＰＡのバス配線ＢＳおよび第２バス配線基板ＢＰＢのバス配線ＢＳ（具体的には、走査線駆動回路ＹＤ用制御バスおよび電源バス）が端部に最も近いフレキシブル配線板２１をそれぞれ介して表示パネルＤＰに引き込まれ、さらにバス配線ＢＳ（具体的には、走査線駆動回路ＹＤ用制御バス）が最も近いフレキシブル配線板１１をそれぞれ介して第３および第４バス配線基板ＢＰＣ，ＢＰＤのバス配線ＢＳに接続される。
【００２３】
上述の実施形態では、第１バス配線基板ＢＰＡのバス配線ＢＳおよび第２バス配線基板ＢＰＢのバス配線ＢＳが表示パネルＤＰ上に形成されるバイパス配線ＰＳに複数のフレキシブル配線板２１を選択的に介して接続される。この場合、バイパス配線ＰＳが第１バス配線基板ＢＰＡのバス配線ＢＳと第２バス配線基板ＢＰＢのバス配線ＢＳとを導通させるため、第１バス配線基板ＢＰＡと第２バス配線基板ＢＰＢとの間、並びに第１および第２バス配線基板ＢＰＡ，ＢＰＢとコントローラ基板ＣＰとの間において接続端子数を低減することができる。
【００２４】
具体例を示すと、バイパス配線ＰＳを設けない場合に、図３の下段に示すように２枚のバス配線基板ＢＰＡ，ＢＰＢに対して１０個ずつで合計２０個の接続端子Ａ０〜Ａ９，Ｂ０〜Ｂ９がコネクタＣＮに必要であったとしても、バイパス配線ＰＳを設けることにより図３の上段に示すようにこれら接続端子を共通化して最大で半分の１０個まで減らすことが可能となる。従って、接続端子数の増大により高価になるコネクタＣＮおよびフレキシブル配線材ＦＢを安価なものにして、製造コストを低減できる。
【００２５】
尚、本発明は上述の実施形態に限定されず、その要旨を逸脱しない範囲で様々に変形可能である。
【００２６】
上述の実施形態では、一対の走査線駆動回路ＹＤを表示パネルＤＰの両側に配置したが、単一の走査線駆動回路ＹＤを表示パネルＤＰの一方側に配置する構造にしてもよい。
【００２７】
また、上述の実施形態では、アクティブマトリクス方式の液晶表示装置を一例として説明したが、本発明は液晶の駆動方式によらず様々な液晶表示装置に適用できる。従って、例えば画素スイッチング素子Ｗを用いずに走査線Ｘおよび信号線Ｘを介して直接的に液晶画素を駆動するような液晶表示装置にも適用できる。さらに本発明は、外部から表示パネルを制御する構成であれば、例えばＴＮ液晶画素を用いる液晶表示装置や、自己発光素子を画素として用いるＦＥＤ装置および有機ＥＬ表示装置等の平面表示装置にも適用できる。
【図面の簡単な説明】
【００２８】
【図１】本発明の一実施形態に係るアクティブマトリクス方式の液晶表示装置の回路構成を概略的に示す図である。
【図２】図１に示す液晶表示装置の外部配線構造を示す図である。
【図３】図２に示すバイパス配線を用いた場合に低減される接続端子数について説明するための図である。
【符号の説明】
【００２９】
１…アレイ基板、２…対向基板、３…液晶層、５…コントローラ、１０…走査線駆動ＩＣ、１１…フレキシブル配線板、２０…信号線駆動ＩＣ、２１…フレキシブル配線板、ＴＣＰ１，ＴＣＰ２…テープキャリアパッケージ、ＢＰ…配線基板部、ＢＰＡ，ＢＰＢ，ＢＰＣ，ＢＰＤ…バス配線基板、ＢＳ…バス配線、ＰＳ…バイパス配線、ＣＰ…コントローラ基板、ＤＰ…液晶表示パネル、ＰＥ…画素電極、ＣＥ…共通電極、ＣＬＣ…液晶容量、Ｃｓ…補助容量、ＰＸ…液晶画素、Ｗ…スイッチング素子、Ｙ…走査線、Ｘ…信号線、ＣＮ…コネクタ、ＦＢ…フレキシブル配線材、ＣＮＴ…表示パネル制御回路、ＹＤ…走査線駆動回路、ＸＤ…信号線駆動回路。
【図１】
2006126295.tif 000003
【図２】
2006126295.tif 000004
【図３】
2006126295.tif 000005